(57)【要約】【課題】  インクジェット記録ヘッドのインク供給路中に分岐された経路先端開口部に封止を有するものにおいて、開口部を完全密閉する封止を目的とする。【解決手段】  開口部の内部を小さくし、その表面上に封止樹脂を塗布して完全に密閉する。【選択図】  図１
2007245483.tif 000002
【特許請求の範囲】
【請求項１】
被記録媒体にインクを吐出させ記録を行うためのエネルギー発生素子と、インクを吐出するノズルを備えたインクジェット記録チップを備え、前記インクジェット記録チップに供給する為のインクを内包したインクタンクと前記インクタンクから前記インクジェット記録チップにインクを供給する為のインク供給路を備えたインクジェット記録ヘッドであり、前記インク供給路中に分岐された少なくとも１つの経路を持ち、前記分岐された経路先端開口部を封止するものにおいて、前記経路先端開口部の内径を小さくしその表面上に封止樹脂を塗布して封止することを特徴とするインクジェット記録ヘッド。
【請求項２】
請求項１において、経路先端開口部の内径を熱により小さくすることを特徴とするインクジェット記録ヘッド。
【請求項３】
請求項１又は２において、経路先端部の材料で内径を小さくすることを特徴とするインクジェット記録ヘッド。
【発明の詳細な説明】
【技術分野】
【０００１】
本発明は、被記録媒体に対してインクを吐出させ記録を行う、インクジェット記録ヘッドに関するものである。
【背景技術】
【０００２】
従来から、プリンタ、複写機、ファクシミリ等の記録装置は、画像情報に基づき被記録材上にドットパターンからなる画像を記録していくよう構成されている。この記録装置は、その記録方式により、インクジェット方式、ワイヤドット式、サーマル式、レーザービーム式等に分けることができ、そのうちインクジェット式は、インク液路にインクを吐出させるために利用される吐出エネルギーを発生するエネルギー変換手段を有し、インクをインク供給口から液室を介して前記液路に導き、ここでインクにエネルギー変換手段から与えられた吐出エネルギーによりインクを飛翔液滴として被記録材に向けて飛翔させ、その着弾により記録が行われるよう構成されているインクジェット記録ヘッドを備えている。インクジェット記録ヘッドの構成部材としては、被記録媒体にインクを吐出させ記録を行うためのエネルギー発生素子、インクを吐出するノズルを備えたインクジェット記録チップ、前記インクジェット記録チップに供給するためのインクを内包したインクタンク、前記インクタンクから前記インクジェット記録チップにインクを供給するためのインク供給路を備えたタンクホルダユニット等から構成されている。前記タンクホルダユニットはインク供給路が形成されており、インク流路中に分岐された少なくとも１つの経路が形成され先端部は開口となっている。インクジェット記録ヘッドは流体であるインクを取り扱うために、インクの振動によりメニスカスの振動を大きく乱し、画像品位の劣化を発生させることがある。メニスカス振動を安定させるための策として、インクジェット記録ヘッドのインク流路中にバッファ室を設け、この中に気泡を持たせることで圧力振動を吸収する技術を多くのインクジェット記録ヘッドにおいて採用されている。よって前記バッファ室をインク流路中に設けることは必須であり、バッファ室を形成するためにインク流路中に分岐された少なくとも１つの経路先端開口部を封止してバッファ室を設ける。従来、経路先端開口部の封止は図２に示すようなＳＵＳボール封止方法を用いていた。図２はタンクホルダユニットに設けられた経路先端開口部の断面模式図である。図２において、参照符号の２０２タンクホルダユニットの開口部、２０３はＳＵＳボール、２０４はニードル針、２０５は封止樹脂である。タンクホルダ開口部２０２を封止するために、ＳＵＳボール２０３を開口部に挿入し、封止樹脂２０５を上から塗布して開口部の封止を行う。しかし、塗布工程において封止樹脂２０５がＳＵＳボール２０３全体を覆うことができずリーク発生を引き起こしてしまうという問題と、ＳＵＳボールを使用することによるコスト高という欠点もあった。この対策として、特開２００１−３１５３４１に開示されているように開口部の封止方法として、電気を流すことによって発熱する溶着機を用いて加熱面を熱可塑性樹脂で構成されたリブを設けた開口部に押し付けて丸め、閉じた直後に冷却風を吹き出して温度を急速に下げて離型性を高める溶着封止方法が提案されている。
【特許文献１】特開２００１−３１５３４１号公報
【発明の開示】
【発明が解決しようとする課題】
【０００３】
本発明の目的は、開口部からの漏れを確実に防止できるインクジェット記録ヘッドのタンクホルダユニット開口部封止方法および該封止方法によってＳＵＳボールを廃止できることによって、コストダウンが図れる製造方法を提供することである。封止方法としては、特開２００１−３１５３４１に示されているような電気の発熱による溶着方法で、タンクホルダユニット開口部を溶着ホーンにて押し当て封止を行う。しかし前記提案のような封止方法では溶かされた樹脂が内部の空間に逃げていき、少し温度等の条件がふれた場合など先端の封止部に微小なリークが発生するなどの不具合が発生する場合があった。
【課題を解決するための手段】
【０００４】
本発明は上記問題を鑑みてなされたものであり、被記録媒体にインクを吐出させ記録を行うためのエネルギー発生素子と、インクを吐出するノズルを備えたインクジェット記録チップを備え、前記インクジェット記録チップに供給する為のインクを内包したインクタンクと前記インクタンクから前記インクジェット記録チップにインクを供給する為のインク供給路を備えたインクジェット記録ヘッドであり、前記インク供給路中に分岐された少なくとも１つの経路を持ち、前記分岐された経路先端開口部を封止するものにおいて、前記経路先端開口部の内径を小さくしその表面上に封止樹脂を塗布して塞ぎ、封止することを特徴とする。更に本発明のインクジェット記録ヘッドの前記分岐された経路先端開口部の内径を熱により小さくすることを特徴とする。更に、本発明のインクジェット記録ヘッドの前記分岐された経路先端開口部の材料で内径を小さくすることを特徴とする。
【発明の効果】
【０００５】
インクジェット記録ヘッドのタンクホルダユニット開口部を封止する際に、ＳＵＳボール部品を使用せずに開口部の封止が可能であることによるコストダウン。また、温度のバラツキによる樹脂部材の溶け込み状態に差異が生じても、封止樹脂を塗布することにより開口部の完全封止方法を提供することができる。
【発明を実施するための最良の形態】
【０００６】
以下に、本発明の実施例を図面を用い説明する。
【０００７】
実施例で使用したインクジェット記録ヘッドは、フォトリソ技術を用い、シリコン基板にＡｌ配線、ヒーター等を配置したヒーターボードと、前記ヒーターボード上に樹脂を用いてノズル及び吐出口を形成したものでインクジェット記録チップを使用しており、インクジェット記録装置又は、パソコン等のホストから印字信号が送られた場合、前記ヒーターボードに具されたヒーターに通電し、ヒーター上のインクを瞬時に沸騰させ、その力でインクを吐出口から吐出させるバブルジェット（登録商標）方式の物を用いている。しかし、インクを吐出口から吐出させ、被記録媒体に記録を行うものであれば、これに限ったものではない。図１は本発明のインクジェット記録ヘッドにかかる実形態の模式的断面図である。１０１はインクを吐出させるための吐出口を設けたインクジェット記録チップであり、インクを内包するインクタンク１１０からインクジェット記録チップに供給するインク内の異物を除去するためのフィルタ１０５と圧接しており、この圧接された部分よりインクが供給される。ここから供給されるインクはインク供給路１０２を通りインクジェット記録チップ１０１に供給される。インク流路１０２は、例えばＰＰ（ポリプロピレン）、ＰＳ（ポリスチレン）、変性ＰＰＥ（ポリフェニレンエーテル）等の樹脂モールドで形成されており、本実施例においては、２部品を超音波溶着又は、接着接合して形成されている。１０６はインクジェット記録チップ１０１を精度良く貼り付け固定するための基板であり、本実施例においては、アルミナのセラミックを使用している。インク供給路１０２の途中に分岐路１０３が存在し、その先端に開口部封止１０４がある。以下先端の開口部封止について説明する。従来の開口部封止方法は、開口部の先端が図２−１に示すようにテーパー形状となっており、図２−２のように開口部にＳＵＳボール２０３を挿入し、図２−３に示すように上から封止樹脂２０５を塗布し開口部を埋め尽くして封止を行う。この時、封止樹脂の流れ込みの状態によりＳＵＳボール周囲を完全に封止できない時が発生し、図２−４に示すように空洞部２０６ができリークを引き起こす。しかし本実施例の開口部先端形状は図３−１に示した断面図のように、開口部の外周にリブを建てた先端形状となっている。この開口部のリブを図３−２から図３−４のように溶着ホーン３０４を用い、リブを開口部内側に溶かし込み前記開口部をリブの樹脂３０５によって塞ぐ。その時溶着ホーンの温度条件等のふれによって溶け込み状態も変化しマージンの少ない温度条件になってしまうため、溶着ホーンによるリブ溶かし込みは中心部に空洞が発生してもよい温度条件とし、図３−５のように溶かし込んだ開口部の上に封止樹脂を塗布して開口部を完全に塞ぐ封止方法となる。（図３−６）
以上述べたように本実施例のような開口部リブ溶着、封止樹脂塗布を用いることにより、溶着ホーンの温度条件等のふれに対するマージンの高い溶着と、封止樹脂塗布による完全密閉が可能なインクジェット記録ヘッドを供給することが可能である。
【図面の簡単な説明】
【０００８】
【図１】本発明の実施例を示す断面図
【図２】従来の封止部およびその封止工程を示す模式図
【図３】本発明の実施例の封止部およびその封止工程を示す模式図
【符号の説明】
【０００９】
１０１  インクジェット記録チップ
１０２  インク供給路
１０３  分岐経路
１０４  開口部封止
１０５  フィルタ
１０６  記録ヘッドユニット
１０７  連通シール弾性体
１０８  タンクホルダユニット
１０９  タンクシール弾性体
１１０  インクタンク
２０１  タンクホルダユニット
２０２  経路先端開口部
２０３  ＳＵＳボール
２０４  ニードル針
２０５  封止樹脂
２０６  空洞部
３０１  リブ
３０２  タンクホルダユニット
３０３  経路先端開口部
３０４  溶着ホーン
３０５  溶けた樹脂部材
３０６  ニードル針
３０７  封止樹脂
【図１】
2007245483.tif 000003
【図２】
2007245483.tif 000004
【図３】
2007245483.tif 000005